(57)【特許請求の範囲】
【請求項１】
棟近傍に位置する屋根の野地板に、前記棟を覆う棟包みに覆われている範囲よりも屋根の下り勾配方向軒先側に延在して貫通孔が形成され、
前記長尺状の棟包みの長さ方向の所定位置に、前記貫通孔を覆い、換気口が形成された覆い部が前記棟包みの間に割り込んで挟まれた状態で設けられ、
前記覆い部は、挟まれている両側の前記棟包みに接続される棟包み部と、この棟包み部の側面部の屋根下り勾配方向に一体的に形成されて、前記換気口を有する覆い部本体とを備え、
前記覆い部本体は、前記棟包みに覆われている範囲よりも屋根の下り勾配方向軒先側に延出するとともに前記貫通孔を覆い、
前記棟包み部には、前記棟包みに重なり合って接続される接続部が設けられていること
を特徴とする屋根の換気構造。
【請求項２】
請求項１記載の屋根の換気構造において、
前記棟包み部は側断面視山形状をなし、
前記棟包み部の両方の片の下端部に、前記覆い部本体がそれぞれ一体に設けられていることを特徴とする屋根の換気構造。
【請求項３】
請求項１又は２に記載の屋根の換気構造において、
前記換気口が、前記覆い部の側面に設けられており、
前記貫通孔の周囲には、水返しが前記換気口に対向して設けられていることを特徴とする屋根の換気構造。
【請求項４】
請求項１又は２に記載の屋根の換気構造において、
前記換気口が、前記覆い部の上面に設けられており、
この覆い部には、水受け板が前記換気口に対向して設けられていることを特徴とする屋根の換気構造。
【請求項５】
請求項４記載の屋根の換気構造において、
前記貫通孔の周囲には、水返しが設けられていることを特徴とする屋根の換気構造。
【発明の詳細な説明】
【０００１】
【発明の属する技術分野】
本発明は、換気性に優れた屋根の換気構造に関するものである。
【０００２】
【背景の技術】
従来より、特に、木質パネルを用いたプレハブ住宅等の木造住宅において、湿気を含む屋根内部の空気を外部に導き、換気性を良好として建物の老朽化を防止するための技術が知られている。この技術の一例として、特開平５−４４３１５号公報記載の「棟部の換気構造」が挙げられる。
この技術では、棟部において、互いに対向する屋根パネル体は、該屋根パネル体間に隙間が設けられるようにして配置されている。つまり、屋根パネル体は、断面コ字状の枠材を平面視ロ字状に枠組みして形成された枠体と、枠体上に設けられた下地体と、下地体上に設けられた波板瓦とによって構成されている。そして、対向する屋根パネル体間の上方に棟カバーが架設されており、この棟カバーと前記下地体との間には、屋外に連通する通気路が形成されている。また、前記枠体の下端部には、該枠体の長手方向に沿って棟梁が設けられており、この棟梁と枠体との間には、該枠体の長手方向に沿って所定間隔に支持板が載設されている。
このようにして支持板が載設されることによって、棟梁と枠体との間には、通気用隙間が設けられており、この通気用隙間と前記通気路とによって、屋根パネルと外部との間の換気が図られている。
【０００３】
【発明が解決しようとする課題】
ところで、前記特開平５−４４３１５号公報記載の「棟部の換気構造」では、前記枠体と、該枠体の下端部に設けられた棟梁との間に形成された通気用隙間によって小屋裏に通気されるが、この通気用隙間は、枠体と棟梁との間に設けられた支持板が、枠体の長手方向に沿って所定間隔で載設されることにより形成されているので、互いに対向する枠体どうしの間に前記支持板を正確に位置決めして、組み付けなければならず、また、このような作業を現場で行うので困難かつ面倒であった。
さらに、前記通気用隙間は、支持板が所定間隔に載設されることによって枠体と棟梁との間に設けられているが、この通気用隙間は、枠体どうしが接合されている接合部分のため、屋根パネルとしての強度を確保するために通気用隙間の大きさが制限されていた。そのため、小屋裏への換気性をより良好にすることが難しかった。
本発明は、上記事情に鑑みてなされたもので、施工を容易に行うことができ、また、構造強度上にも優れ、かつ、換気性が良好な屋根の換気構造を提供することを課題としている。
【０００４】
【課題を解決するための手段】
上記課題を解決するために、請求項１の発明は、例えば、図１および図２に示すように、
棟２近傍に位置する屋根１の野地板（例えば、面材４）に、前記棟２を覆う棟包み９に覆われている範囲よりも屋根１の下り勾配方向軒先側に延在して貫通孔５が形成され、
前記長尺状の棟包み９の長さ方向の所定位置に、前記貫通孔５を覆い、換気口１２が形成された覆い部８が前記棟包み９の間に割り込んで挟まれた状態で設けられ、
前記覆い部８は、挟まれている両側の前記棟包み９に接続される棟包み部１０と、この棟包み部１０の側面部の屋根下り勾配方向に一体的に形成された覆い部本体１１とを備え、
前記覆い部本体１１は、前記棟包み９に覆われている範囲よりも屋根１の下り勾配方向軒先側に延出するとともに前記貫通孔を覆い、
前記棟包み部１０には、前記棟包み９に重なり合って接続される接続部１７が設けられていることを特徴とする。
【０００５】
請求項１の発明によれば、屋根１の野地板４に、貫通孔５が形成され、前記棟２を覆う棟包み９に、前記貫通孔５を覆い、換気口１２が形成された覆い部８が設けられているので、前記覆い部８の換気口１２から前記屋根１の野地板４に形成された貫通孔５を介して、小屋裏の空気の排気および外気の吸入ができ、よって、十分な換気をとることができる。
【０００６】
また、従来のように、枠体と棟梁との間に支持板を所定間隔で設け、これによって通気用隙間を形成した場合は、互いに対向する枠体どうしの間に支持板を取り付けるために、正確な位置決めを行ったり、組み付けを行う必要があり、このような作業を現場で行わなければならないので、その作業が困難かつ面倒であったが、本発明では、野地板４に形成された貫通孔５と覆い部８の換気口１２から換気をとることができるので、貫通孔５が形成された野地板４に、貫通孔５を覆うようにして覆い部８を設けることによって、容易に施工することができる。
【０００７】
また、従来では、換気をとるために、枠体どうしが接合されている接合部分に通気用隙間が設けられており、屋根としての強度を確保するために、その通気用隙間の大きさが制限されていたが、本発明では、前記野地板４に貫通孔５を設けることによって換気をとるので、従来に比してより大きな貫通孔５を設けることができ、よって、構造強度上にも優れ、かつ、換気性をより一層良好にすることができる。
【０００８】
ここで、前記棟包み９,４６とは、例えば、図２に示すように、前記換気口１２が形成されていない換気口なし棟包み７，７が、棟２に複数所定間隔を隔てて設けられてなるものや、例えば、図１０に示すように、１つの換気口なし棟包み４５が、棟４２に沿って連続して設けられてなるものを指す。
また、前記覆い部８，４７は、前者の場合、前記換気口なし棟包み７，７どうしの間に設けられ（図２参照）、後者の場合、１つの換気口なし棟包み４５の下端部に設けられる。
【０００９】
前記野地板４に形成された貫通孔５には、機械換気設備や空調設備に接続された排気ダクトが直接取り付けられていても良い。
前記覆い部８は、前記棟包み９に接続される前記棟包み部１０と、この棟包み部１０に一体的に形成された覆い部本体１１とを備えているので、前記棟包み部１０と覆い部本体１１とが一体的に形成された覆い部８を棟２近傍に配置することによって、容易かつスムーズに取り付けることができ、施工期間の短縮化を図ることができる。
また、前記棟包み部１０が、前記棟包み９に接続されるので、前記野地板４の貫通孔５に前記覆い部８が位置するようにして棟包み部１０を、棟包み９に接続することによって、容易に覆い部８の棟２に対する位置決めを行うことができる。
さらに、前記覆い部８の補修等を行う際には、接続されている前記棟包み部１０と前記棟包み９とから、前記棟包み部１０を取り外すことができ、補修作業が簡単になる。
また、前記棟包み部１０が棟包み９に接続されることによって、棟包み部１０と棟包み９とが一体的に見えて見栄えが良い。
前記棟包み部１０とは、例えば、図２に示すように、前記棟包み９を構成する換気口なし棟包み７の側断面形状と同形状の部分を指し、前記覆い部本体１１とは、前記覆い部８のうちの前記棟包み部１０以外の部分を指す。
また、前記棟包み部１０には、前記棟包み９に重なり合って接続される接続部１７が設けられているので、この接続部１７を棟包み９に重なり合うようにして接続することによって、前記棟包み部１０と前記棟包み９とを容易かつ強固に接続することができる。
また、前記接続部１７が設けられた棟包み部１０を棟包み９に接続することによって、前記覆い部８を設置できるので、この覆い部８を部品化し易い。
さらに、前記棟包み部１０と前記棟包み９との間の防水処理は、前記接続部１７に施せば良いので防水処理を行い易い。
【００１０】
請求項２の発明は、例えば、図１２に示すように、請求項１記載の屋根５１の換気構造において、
前記棟包み部５８は側断面視山形状をなし、
前記棟包み部５８の両方の片５８a，５８bの下端部に、前記覆い部本体５９，５９がそれぞれ一体に設けられていることを特徴とする。
請求項３の発明は、例えば、図１に示すように、請求項１又は２に記載の屋根１の換気構造において、
前記換気口１２が、前記覆い部８の側面に設けられており、
前記貫通孔５の周囲には、水返し１５が前記換気口１２に対向して設けられていることを特徴とする。
【００１１】
請求項３の発明によれば、前記換気口１２が、前記覆い部８の側面に設けられており、前記貫通孔５の周囲には、水返し１５が前記換気口１２に対向して設けられているので、前記水返し１５によって、覆い部８の換気口１２から流入する雨水等が貫通孔５を介して小屋裏１４内に流入することを防ぐことができる。
また、前記換気口１２は、前記覆い部８の側面に設けられているので、請求項３のように、換気口３２が覆い部２８の上面に形成されている場合に比して、外部から雨水等が流入しにくく、よって、小屋裏１４内に雨水等が流入することも防ぐことができる。
【００１２】
請求項４の発明は、例えば、図６に示すように、請求項１又は２に記載の屋根２１の換気構造において、
前記換気口３２が、前記覆い部２８の上面に設けられており、
この覆い部２８には、水受け板４０が前記換気口３２に対向して設けられていることを特徴とする。
【００１３】
請求項４の発明によれば、前記換気口３２が、前記覆い部２８の上面に設けられており、この覆い部２８には、水受け板４０が前記換気口３２に対向して設けられているので、この水受け板４０によって換気口３２から流入する雨水等を受けることができ、よって、貫通孔２５に雨水等が流入するのを防ぐことができる。
また、前記換気口３２は、前記覆い部２８の上面に設けられているので、請求項２のように、換気口１２が覆い部８の側面に設けられている場合に比して、外部から空気が入りやすく、通気性に優れる。
【００１４】
請求項５の発明は、例えば、図６に示すように、請求項４記載の屋根２１の換気構造において、
前記貫通孔２５の周囲には、水返し３５が設けられていることを特徴とする。
【００１５】
請求項５の発明によれば、前記貫通孔２５の周囲には、水返し３５が設けられているので、前記水返し３５によって、覆い部２８の換気口３２から流入する雨水等が貫通孔２５を介して小屋裏３４内に流入するのを一層確実に防ぐことができる。
【００２４】
【発明の実施の形態】
以下、本発明の第１〜第４の実施の形態を図面に基づいて説明する。
図１は、本発明の第１の実施の形態を示す屋根の換気構造の側断面図、図２は、屋根の換気構造の斜視図、図３は、図２の要部を示す斜視図、図４は、屋根の換気構造の斜視図（換気口なし棟包みが設置される前の状態）である。
図１に示すように、屋根パネル１a，１aが互いに対向するようにして配置されて屋根１の棟２が構成されており、屋根パネル１a，１aどうしの間には、結合棟木３，３が屋根パネル１aの幅方向に延在して設けられている。
【００２５】
前記屋根パネル１aは、複数の芯材を縦横に組み付けてなる枠体の上面に合板等の面材４が貼り付けられてなるものである。この面材４には、平面視略矩形状の貫通孔５が形成されている。
つまり、貫通孔５は、互いに対向するようにして配置された屋根パネル１a，１aのうちの北側に位置する一方の屋根パネル１aの面材４に形成されている。そして、この一方の屋根パネル１aの面材４上で、貫通孔５以外の部分に、屋根耐水シート（図示しない）が貼設され、この屋根耐水シート上に耐水性及び防水性を有するシート状のルーフィング（図示しない）が貼設され、さらに、ルーフィングの上面に、屋根瓦等の屋根仕上げ材６が取り付けられている。また、他方の屋根パネル１aの面材４上にも同様にして、屋根耐水シート（図示しない）、ルーフィング（図示しない）、屋根仕上げ材６が取り付けられている。
【００２６】
前記棟２近傍には、図２および図３に示すように、棟２を覆う換気口なし棟包み７，７が所定間隔を隔てて設置されており、これによって棟包み９とされている。また、これら換気口なし棟包み７，７どうしの間には、前記貫通孔５を覆う覆い部８が１つ設けられている。
【００２７】
前記覆い部８は、図１〜図３に示すように、棟包み９である換気口なし棟包み７，７に接続される棟包み部１０と、この棟包み部１０に一体的に形成された覆い部本体１１とを備えている。
前記棟包み部１０は、該棟包み部１０に隣接する換気口なし棟包み７の側断面形状と同形状の山形状をなしており、この山形状の一方の片（北側の片）１０aの下端部に、前記覆い部本体１１が一体的に形成されている。
【００２８】
前記覆い部本体１１は、北側の屋根１に位置しており、その側面には換気口１２が設けられている。この換気口１２は、屋根パネル１aの勾配に沿って換気片部１３が複数上向きに所定間隔に設けられることによって形成されている。そして、この換気片部１３を介して外気が覆い部８に入り込み、さらに、貫通孔５から小屋裏１４に入り込んだり、小屋裏１４の空気の排気ができるようになっている。
【００２９】
また、前記面材４に形成された貫通孔５の周囲には、図１および図４に示すように、該周囲を囲い、かつ、面材４から上方に突出するようにして水返し１５が設置されている。
つまり、前記水返し１５は側断面視略Ｌ字状をなしており、前記換気口１２に対向して配置され、水返し１５の一方の片１５aである当接面にブチルテープ１６が貼り付けられることによって面材４に設置されている。
そして、このように貫通孔５の周囲に設置された水返し１５の上方に前記覆い部８が取り付けられている。また、この水返し１５の外側には、前記屋根仕上げ材６が取り付けられている（図４では図示しない）。
【００３０】
前記棟包み部１０の両側端部には、図３に示すように、該棟包み部１０に隣接する換気口なし棟包み７，７に接続される接続部１７が設けられており、この接続部１７が、隣接する換気口なし棟包み７，７に重なることによって接続されている。前記接続部１７の側断面形状は、棟包み部１０および換気口なし棟包み７の側断面形状と同形状の山形状をなしている。
また、山形状をなす棟包み部１０のうちの一方の片、すなわち、下端部に覆い部本体１１が一体に形成されていない側の片１０bと、前記屋根仕上げ材６との間には、図１に示すように、棧材１８が取り付けられており、この棧材１８は棟包み部１０により覆われてスクリュー釘１９によって固定されている。
【００３１】
本発明の第１の実施の形態によれば、屋根パネル１aの面材４に貫通孔５が形成され、この貫通孔５には、該貫通孔５を覆い、換気口１２が形成された覆い部８が設けられているので、換気口１２から貫通孔５を介して外気が入り込むことができ、よって、十分な換気をとることができる。
また、貫通孔５が形成された面材４に、貫通孔５を覆うようにして覆い部８を設けることによって、容易に施工することができる。
さらに、本発明では、面材４に貫通孔５を設けることによって換気をとるので、従来に比して、より大きな貫通孔５を設けることができ、よって、構造強度上にも優れ、かつ、換気性をより一層良好にすることができる。
【００３２】
前記換気口１２が、覆い部８の側面に設けられているので、後述する第２の実施の形態の上面に設けられている場合に比して、外部から雨水等が流入しにくい。
また、貫通孔５の周囲には、水返し１５が換気口１２に対向して設けられているので、換気口１２から流入する雨水等が、貫通孔５を介して小屋裏１４内に流入するのを防げる。
【００３３】
前記覆い部８は、換気口なし棟包み７からなる棟包み９に接続される棟包み部１０と、この棟包み部１０に一体的に形成された覆い部本体１１とを備えているので、覆い部８を棟２近傍に容易かつスムーズに取り付けることができ、施工期間の短縮化を図ることができる。
【００３４】
また、貫通孔５に覆い部８が位置するようにして棟包み部１０を、換気口なし棟包み７，７に接続することによって、容易に覆い部８の棟２に対する位置決めを行うことができる。
さらに、接続されている棟包み部１０と換気口なし棟包み７，７とから、棟包み部１０を取り外すことができ、覆い部８の補修作業が簡単になる。
また、棟包み部１０が換気口なし棟包み７，７に接続されることによって、棟包み部１０と換気口なし棟包み７，７とが一体的に見えて見栄えが良い。
【００３５】
前記棟包み部１０には接続部１７が設けられているので、この接続部１７を換気口なし棟包み７，７に重なり合うようにして接続することによって、棟包み部１０と換気口なし棟包み７，７とを容易かつ強固に接続することができる。
また、この接続部１７が設けられた棟包み部１０を換気口なし棟包み７，７に接続することによって、覆い部８を設置できるので、この覆い部８を部品化し易い。
さらに、棟包み部１０と換気口なし棟包み７，７との間の防水処理は、接続部１７に施せば良いので防水処理を行い易い。
【００３６】
前記覆い部８は、北側の屋根１に設けられているので、北側の屋根１以外からは、この覆い部８が見えにくく外観品質に優れる。
【００３７】
また、前記覆い部８は、棟２に沿って所定間隔を隔てて設置された換気口なし棟包み７，７どうしの間に設けられているので、後述する第３の実施の形態のように、１つの換気口なし棟包み４５が棟４２に沿って連続して設けられており、この換気口なし棟包み４５の下端部に覆い部４７を設ける場合に比して、換気口なし棟包み７，７に覆い部８を強固に固定することができる。
【００３８】
なお、本発明の第１の実施の形態の屋根１の換気構造において、前記換気口１２は、屋根パネル１aの勾配に沿って換気片部１３が複数上向きに所定間隔に設けられることによって形成されているとしたが、例えば、図１３に示すように、覆い部本体１１の下端部を面材４側に折り曲げて設けることによって、面材４との間に形成しても良い。
この場合、面材４に取り付けられた屋根仕上げ材６の上面で、前記覆い部本体１１の下端部との間に、屋根仕上げ材６から上方に突出するようにして水返し１５bを設置しても良い。このように水返し１５bを設置すると、換気口１２から流入する雨水等が、貫通孔５を介して小屋裏１４内に流入するのを一層確実に防ぐことができる。
【００３９】
また、本発明の第１の実施の形態の屋根１の換気構造では、棟２に沿って所定間隔を隔てて設置された換気口なし棟包み７，７どうしの間に、前記覆い部８が１つ設けられていたが、例えば、図５に示すように、換気口なし棟包み７を複数所定間隔を隔てて設置し、これら換気口なし棟包み７，７どうしの間に前記覆い部８を複数設けることによって、より換気性に優れた構造としても良い。
このように覆い部８を複数設ける場合は、覆い部８の数にしたがって屋根パネル１aの面材４に貫通孔５を形成する。
【００４０】
次に、本発明の第２の実施の形態の屋根の換気構造について説明する。
図６は、本発明の第２の実施の形態を示す屋根の換気構造の側断面図、図７は、屋根の換気構造の斜視図、図８は、図７の要部を示す斜視図である。
なお、本発明の第２の実施の形態の屋根２１の換気構造と、第１の実施の形態の屋根１の換気構造とは、それぞれに使用される覆い部２８，８の構造が異なっている。したがって、同様の構成部分についての説明は省略し、異なる点について詳細に説明する。
【００４１】
図６に示すように、屋根パネル２１a，２１aが互いに対向するようにして配置されて屋根２１の棟２２が構成されており、屋根パネル２１a，２１aどうしの間には、結合棟木２３，２３が屋根パネル２１aの幅方向に延在して設けられている。
前記屋根パネル２１aの面材２４には、第１の実施の形態と同様に貫通孔２５が形成されている。また、面材２４上には、屋根耐水シート（図示しない）、ルーフィング（図示しない）、屋根仕上げ材２６が取り付けられている。
【００４２】
前記棟２２近傍には、図７および図８に示すように、棟２２を覆う換気口なし棟包み２７，２７が所定間隔を隔てて設置されており、これによって棟包み２９とされている。また、これら換気口なし棟包み２７，２７どうしの間には、前記貫通孔２５を覆う覆い部２８が１つ設けられている。
【００４３】
前記覆い部２８は、図６〜図８に示すように、棟包み２９である換気口なし棟包み２７，２７に接続される棟包み部３０と、この棟包み部３０に一体的に形成された覆い部本体３１とを備えている。
前記棟包み部３０は、該棟包み部３０に隣接する換気口なし棟包み２７，２７の側断面形状と同形状の山形状をなしており、この山形状の一方の片（北側の片）３０aの下端部に、前記覆い部本体３１が一体的に形成されている。
【００４４】
前記覆い部本体３１は、北側の屋根２１に位置しており、その上面には換気口３２が設けられている。この換気口３２は、内側に折り曲げて形成された換気片３３が、屋根パネル２１aの勾配に沿って複数所定間隔に設けられることによって形成されている。そして、この換気片部３２を介して外気が覆い部２８に入り込み、さらに、貫通孔２５から小屋裏３４に入り込んだり、小屋裏３４の空気の排気ができるようになっている。
【００４５】
また、前記面材２４に形成された貫通孔２５の周囲には、図６に示すように、該周囲を囲い、かつ、面材２４から上方に突出するようにして、第１の実施の形態と同様の水返し３５がブチルテープ３６により接着されて設置されている。
そして、このように貫通孔２５の周囲に設置された水返し３５の上方に前記覆い部２８が取り付けられている。また、この水返し３５の外側に屋根仕上げ材２６が取り付けられている。
【００４６】
また、前記覆い部本体３１には、水受け板４０が換気口３２に対向して設けられている。この水受け板４０は、屋根パネル２１aの勾配に沿って傾斜しており、換気口３２と貫通孔２５との間に配置され、水受け板４０の下端部は水返し３５の外側に位置している。
このように、水受け板４０の下端部が水返し３５の外側に位置することによって、換気口３２から流入した雨水等が水受け板４０で受けられて、水受け板４０の下端部から流れた雨水等は、貫通孔３５側に流れても水返し３５によって返されるので、貫通孔３５から小屋裏３４に雨水等が流入することなく、覆い部２８の外側に流れるようになっている。
【００４７】
前記棟包み部３０の両側端部には、図８に示すように、該棟包み部３０に隣接する換気口なし棟包み２７，２７に接続される接続部３７が設けられており、この接続部３７が、隣接する換気口なし棟包み２７，２７に重なることによって接続されている。
また、山形状をなす棟包み部３０のうちの一方の片、すなわち、下端部に覆い部本体３１が一体に形成されていない側の片３０bと、前記屋根仕上げ材２６との間には、図６に示すように、棧材３８が取り付けられており、この棧材３８は棟包み部３０により覆われてスクリュー釘３９によって固定されている。
【００４８】
本発明の第２の実施の形態によれば、換気口３２が、覆い部２８の上面に設けられているので、第１の実施の形態の側面に設けられている場合に比して、外部から空気が入りやすく、通気性に優れる。
また、覆い部２８には水受け板４０が換気口３２に対向して設けられているので、換気口３２から流入する雨水等を受けることができ、よって、貫通孔２５に雨水等が流入するのを防げる。
さらに、貫通孔２５の周囲には、水返し３５が設けられているので、覆い部２８の換気口から流入する雨水等が、貫通孔２５を介して小屋裏３４内に流入するのを一層確実に防ぐことができる。
【００４９】
なお、本発明の第２の実施の形態において、第１の実施の形態と同様の構成部分については、第１の実施の形態と同様の効果を得ることができるので、その説明は省略する。
【００５０】
また、本発明の第２の実施の形態の屋根２１の換気構造では、棟２２に沿って所定間隔を隔てて設置された換気口なし棟包み２７，２７どうしの間に、前記覆い部２８が１つ設けられていたが、例えば、図９に示すように、換気口なし棟包み２７を複数所定間隔を隔てて設置し、これら換気口なし棟包み２７，２７どうしの間に、前記覆い部２８を複数設けることによって、より換気性に優れた構造としても良い。
このように覆い部２８を複数設ける場合は、覆い部２８の数にしたがって屋根パネル２１aの面材２４に貫通孔２５を形成する。
【００５１】
次に、本発明の第３の実施の形態について説明する。
図１０は、本発明の第３の実施の形態を示す屋根の換気構造の斜視図である。なお、本発明の第３の実施の形態の屋根４１の換気構造と、第２の実施の形態の屋根２１の換気構造とは、それぞれに使用される覆い部４７，２８の構造と、この覆い部４７，２８が棟４２，２２に設置される設置構造とが異なっている。したがって、同様の構成部分についての説明は省略し、異なる点について詳細に説明する。
【００５２】
図１０に示すように、屋根パネル４１a，４１aが互いに対向するようにして配置されて屋根４１の棟４２が構成されており、前記屋根パネル４１aの面材４３には、第１の実施の形態と同様に貫通孔４４が形成されている。また、面材４３上には、屋根耐水シート、ルーフィング、屋根仕上げ材が取り付けられている（図示しない）。
前記棟４２近傍には、棟４２を覆う、１つの換気口なし棟包み４５が棟４２に沿って連続して設置され、これによって棟包み４６が構成されている。そして、山形状の換気口なし棟包み４５の一方の片（北側の片）４５aの下端部に、前記貫通孔４４を覆う覆い部４７が１つ設けられている。
【００５３】
前記覆い部４７は、北側の屋根４１に位置しており、その上面には換気口４８が設けられている。この換気口４８は、内側に折り曲げて形成された換気片（図示しない）が、屋根パネル４１aの勾配に沿って複数所定間隔に設けられることによって形成されている。そして、この換気片部を介して外気が覆い部４７に入り込み、さらに、貫通孔４４から小屋裏に入り込んだり、小屋裏の空気の排気ができるようになっている。
つまり、前記覆い部４７は、第２の実施の形態で説明した覆い部本体３１と同様のものであり、この覆い部４７は、棟４２に沿って連続して設けられた１つの換気口なし棟包み４５の下端部に設けられているので、第２の実施の形態のように棟包み部３０を備えていない。
【００５４】
また、前記面材４３に形成された貫通孔４４の周囲には、該周囲を覆い、かつ、面材４３から上方に突出するようにして、第１の実施の形態と同様の水返し（図示しない）が設置されている。
前記覆い部４７には、第２の実施の形態と同様の水受け板（図示しない）が換気口４８に対向して設けられている。
【００５５】
本発明の第３の実施の形態によれば、第２の実施の形態と異なり、覆い部４７は、棟包み部３０を備えておらず、第２の実施の形態における覆い部本体３１と同形状のものであるので、予め、棟４２に換気口なし棟包み４５が設置されていても、その下端部に取り付けることができ、よって施工が容易となる。
すなわち、第２の実施の形態では、換気口なし棟包み２７は、棟２２に所定間隔を隔てて設置されており、これらの間に覆い部２８が設けられているので、換気口なし棟包み２７を設置するのにその位置決め等が面倒であったが、この場合は、前記覆い部４７を後からでも容易に施工することができる。
【００５６】
なお、本発明の第３の実施の形態において、第１および第２の実施の形態と同様の構成部分については、第１および第２の実施の形態と同様の効果を得ることができるので、その説明は省略する。
【００５７】
また、本発明の第３の実施の形態では、前記換気口４８は覆い部４７の上面に形成されているものとしたが、例えば、第１の実施の形態の覆い部本体１１と同様に、換気口４８を、覆い部４７の側面に形成しても良い（図示しない）。
【００５８】
さらに、第３の実施の形態では、１つの換気口なし棟包み４５が、棟４２に沿って連続して設置されており、この換気口なし棟包み４５の一方の片４５aの下端部に覆い部４７が１つ設けられていたが、例えば、この覆い部４７を換気口なし棟包み４５の一方の片４５aの下端部に、複数所定間隔を隔てて設けることによって、より換気性に優れた構造としても良い（図示しない）。
また、前記覆い部４７は、換気口なし棟包み４５の両方の片４５a，４５bの下端部にそれぞれ１つずつ設けても良いし（図１１参照）、換気口なし棟包み４５の両方の片４５a，４５bの下端部に複数所定間隔を隔てて設けても良い（図示しない）。
上述したように覆い部４７を複数設けたり、換気口なし棟包み４５の両方の片４５a，４５bに設けた場合は、それぞれ覆い部４７の数や位置にしたがって、屋根パネル４１aの面材４３に貫通孔４４を形成する。
【００５９】
次に、本発明の第４の実施の形態について説明する。
図１２は、本発明の第４の実施の形態を示す屋根の換気構造の斜視図である。
なお、本発明の第４の実施の形態の屋根５１の換気構造と、第１の実施の形態の屋根１の換気構造とは、それぞれに使用される覆い部５６，１１の構造と、この覆い部５６，１１が棟５２，２に設置される設置構造とが異なっている。したがって、同様の構成部分についての説明は省略し、異なる点について詳細に説明する。
【００６０】
図１２に示すように、屋根パネル５１a，５１aが互いに対向するようにして配置されて屋根５１の棟５２が構成されており、互いに対向する両方の屋根パネル５１a，５１aの面材５３，５３には、それぞれ平面視矩形状の貫通孔５４，５４が形成されている。
そして、これら両方の屋根パネル５１a，５１aの面材５３，５３上で、貫通孔５４，５４以外の部分に屋根耐水シート、ルーフィング、屋根仕上げ材が取り付けられている（図示しない）。
【００６１】
前記棟５２近傍には、棟５２を覆う換気口なし棟包み５５，５５が所定間隔を隔てて設置されており、これによって棟包み５７とされている。また、これら換気口なし棟包み５５，５５どうしの間には、前記２つの貫通孔５４，５４を覆う覆い部５６が１つ設けられている。
【００６２】
前記覆い部５６は、棟包み５７である換気口なし棟包み５５，５５に接続される棟包み部５８と、この棟包み部５８の両下端部にそれぞれ一体的に形成された２つの覆い部本体５９，５９とを備えている。
前記棟包み部５８は、該棟包み部５８に隣接する換気口なし棟包み５５，５５の側断面形状と同形状の山形状をなしており、この山形状の両方の片５８a,５８bの下端部に、それぞれ覆い部本体５９，５９が一体的に形成されている。
【００６３】
前記覆い部本体５９は、両側（北側と南側）の屋根５１に位置しており、その上面には換気口６０が設けられている。この換気口６０は、内側に折り曲げて形成された換気片（図示しない）が、屋根パネル５１aの勾配に沿って複数所定間隔に設けられることによって形成されている。
そして、この換気片部を介して外気が覆い部５６に入り込み、さらに、貫通孔５４から小屋裏に入り込んだり、小屋裏の空気の排気ができるようになっている。つまり、この覆い部本体５９は、第２の実施の形態で説明した覆い部本体３１と同様のものである。
【００６４】
また、前記面材５３に形成された貫通孔５４の周囲には、該周囲を覆い、かつ、面材５３から上方に突出するようにして、第１の実施の形態と同様の水返し（図示しない）が設置されている。
前記覆い部５６には、第２の実施の形態と同様の水受け板（図示しない）が換気口６０に対向して設けられている。
前記棟包み部５８の両側端部には、該棟包み部５８に隣接する換気口なし棟包み５５，５５に接続される接続部（図示しない）が設けられており、この接続部が、隣接する換気口なし棟包み５５，５５に重なることによって接続されている。
【００６５】
本発明の第４の実施の形態によれば、覆い部５６は、１つの棟包み部５８に２つの覆い部本体５９，５９が一体的に形成されているので、第１〜第３の実施の形態のように覆い部を複数それぞれ取り付けることなく、前記覆い部５６を貫通孔５４を覆うようにして設置することによって、一度に多くの換気をとることができ、よって、より換気性に優れた構造とすることができる。
【００６６】
なお、本発明の第４の実施の形態において、第１および第２の実施の形態と同様の構成部分については、第１および第２の実施の形態と同様の効果を得ることができるので、その説明は省略する。
【００６７】
また、本発明の第４の実施の形態では、前記換気口６０は、覆い部本体５９の上面に形成されているものとしたが、例えば、第１の実施の形態の覆い部本体１１と同様に、換気口６０を覆い部本体５９の側面に形成しても良い。
【００６８】
さらに、第４の実施の形態では、棟５２に沿って所定間隔を隔てて設置された換気口なし棟包み５５，５５どうしの間に、前記覆い部５６が１つ設けられていたが、例えば、換気口なし棟包み５５を複数所定間隔を隔てて設置し、これら換気口なし棟包み５５，５５どうしの間に、前記覆い部５６を複数設けても良い（図示しない）。
このように覆い部５６を複数設ける場合は、覆い部５６の数にしたがって屋根パネル５１aの面材５３に貫通孔５４を形成する。
【００６９】
本発明の第１〜第４の実施の形態において、前記貫通孔５，２５，４４，５４は、例えば、図１４に示すように、下屋６１を構成する屋根パネル６２の面材６３に形成して、換気口なし棟包み６４と覆い部６５とを設置しても良い。この場合に設置される換気口なし棟包み６４や覆い部６５の棟包み部６６は、第１、第２の実施の形態で説明した換気口なし棟包み７，２７や覆い部８，２８の棟包み部１０，３０の形状と異なるものである。
【００７０】
また、本発明の第１〜第４の実施の形態では、屋根パネル１a，２１a，４１a，５１aを使用したパネル工法における屋根１，２１，４１，５１の換気構造について説明したが、例えば、軸組み工法においても同様の屋根の換気構造を適用することができる。
【００７１】
【発明の効果】
請求項１の発明によれば、前記換気口から前記貫通孔を介して、小屋裏の空気の排気および外気の吸入ができ、よって、十分な換気をとることができる。
また、前記貫通孔を覆うようにして野地板に前記覆い部を設けることによって、容易に施工することができる。
さらに、従来に比して、より大きな貫通孔を設けることができ、よって、換気性をより一層良好にすることができる。
また、前記覆い部を棟近傍に容易かつスムーズに取り付けることができ、施工期間の短縮化を図ることができる。
また、容易に覆い部の棟に対する位置決めを行うことができ、さらに、覆い部の補修作業が簡単になる。
また、棟包み部と棟包みとが一体的に見えて見栄えが良い。
また、前記棟包み部と前記棟包みとを容易かつ強固に接続することができる。
また、前記覆い部を部品化し易く、さらに、前記棟包み部と前記棟包みとの間の防水処理を行い易い。
【００７２】
請求項３の発明によれば、請求項１又は２と同様の効果を得ることができるのは勿論のこと、前記換気口が、前記覆い部の側面に設けられているので、請求項３に比して外部から雨水等が流入しにくい。
また、前記水返しによって、前記換気口から流入する雨水等が前記貫通孔を介して小屋裏内に流入するのを防げる。
【００７３】
請求項４の発明によれば、請求項１又は２と同様の効果を得ることができるのは勿論のこと、換気口が覆い部の上面に設けられているので、請求項３に比して、外部から空気が入りやすく、通気性に優れる。
また、前記水受け板によって、換気口から流入する雨水等を受けることができ、よって、貫通孔に雨水等が流入するのを防げる。
【００７４】
請求項５の発明によれば、請求項４の同様の効果を得ることができるのは勿論のこと、前記水返しによって、覆い部の換気口から流入する雨水等が、貫通孔を介して小屋裏内に流入するのを一層確実に防ぐことができる。
【図面の簡単な説明】
【図１】本発明の第１の実施の形態を示すためのもので、屋根の換気構造の側断面図である。
【図２】同、屋根の換気構造の斜視図である。
【図３】同、図２の要部を示す斜視図である。
【図４】同、屋根の換気構造の斜視図である。
【図５】本発明のその他の実施の形態を示す屋根の換気構造の斜視図である。
【図６】本発明の第２の実施の形態を示す屋根の換気構造の側断面図である。
【図７】同、屋根の換気構造の斜視図である。
【図８】同、図７の要部を示す斜視図である。
【図９】本発明のその他の実施の形態を示すためのもので、屋根の換気構造の斜視図である。
【図１０】本発明の第３の実施の形態を示すためのもので、屋根の換気構造の斜視図である。
【図１１】本発明のその他の実施の形態を示すためのもので、屋根の換気構造の斜視図である。
【図１２】本発明の第４の実施の形態を示すためのもので、屋根の換気構造の斜視図である。
【図１３】本発明のその他の実施の形態を示すためのもので、屋根の換気構造の側断面図である。
【図１４】同、下屋における屋根の換気構造の斜視図である。
【符号の説明】
１,２１  屋根
２       棟
４       野地板
５,２５  貫通孔
８,２８  覆い部
９       棟包み
１０       棟包み部
１１       覆い部本体
１２,３２  換気口
１５,３５  水返し
１７       接続部
４０       水受け板
【図１】
0004512295.tif 000002
【図２】
0004512295.tif 000003
【図３】
0004512295.tif 000004
【図４】
0004512295.tif 000005
【図５】
0004512295.tif 000006
【図６】
0004512295.tif 000007
【図７】
0004512295.tif 000008
【図８】
0004512295.tif 000009
【図９】
0004512295.tif 000010
【図１０】
0004512295.tif 000011
【図１１】
0004512295.tif 000012
【図１２】
0004512295.tif 000013
【図１３】
0004512295.tif 000014
【図１４】
0004512295.tif 000015